(57)【特許請求の範囲】
【請求項１】
直管型のバルブの管軸方向両端にそれぞれ口金が設けられて、各口金にはそれぞれバルブの管軸方向に直交する方向であって、互いに共通する方向に端子ピンが突設されたランプが接続される照明器具であって
ランプの一方ずつの口金が電気的且つ機械的に接続される２個のソケットと、
各ソケットにそれぞれ電気的に接続されてランプを点灯させる点灯装置と、
点灯装置を収納するとともに各ソケットをそれぞれ保持する器具本体とを備え、
各ソケットは、それぞれ、絶縁材料からなり端子ピンが挿入されるピン挿入穴が設けられたソケット本体と、点灯装置に電気的に接続されソケット本体に収納されてピン挿入穴から挿入された端子ピンに接触導通する導電ブロックと、ランプの口金を管軸方向に直交する方向の両側から弾性的に挟持する一対のばね部を有する支持ばねと、当該支持ばねの一対のばね部の両方を、ランプを狭持する位置とランプの狭持を解除する位置との間で変位させる変位手段とを有することを特徴とする照明器具。
【請求項２】
前記変位手段は、支持ばねを、ランプを狭持する位置とランプの狭持を解除する位置との間でバルブの管軸方向と平行にスライドさせるスライド手段を有することを特徴とする請求項１記載の照明器具。
【請求項３】
前記変位手段は、支持ばねを、ランプを狭持する位置とランプの狭持を解除する位置との間でバルブの管軸方向と垂直に変位させる変位手段を有することを特徴とする請求項１記載の照明器具。
【発明の詳細な説明】
【技術分野】
【０００１】
本発明は、照明器具に関するものである。
【背景技術】
【０００２】
従来から、照明器具として、図７（ａ）（ｂ）及び図８に示すようなソケット６を備えるものが提供されている。（例えば、特許文献１参照）。以下、上下左右は図７（ｂ）を基準とし、図７（ａ）の左右方向を前後方向と呼ぶ。
【０００３】
まず、上記ソケット６に接続されるランプ１について説明する。ランプ１は、中空の円柱形状に構成された直管型のバルブ１０と、バルブ１０の管軸方向である左右方向の両端部にそれぞれ設けられ、バルブ１０に対して管軸方向に直交する方向であって互いに同じ突出方向である上方へ突出する口金１１を有する。口金１１には、それぞれ、導電材料からなりバルブ１０内の放電用電極（図示せず）に電気的に接続されソケット６の導電ブロックに接触導通する端子ピン１１ａが、上記突出方向へ突設されている。
【０００４】
そして、ソケット６は、端子ピン１１ａが挿入されるピン挿入穴（図示せず）が下面に設けられたソケット本体６０と、板ばねからなり口金１１を管軸方向に直交する方向である前後方向から弾性的に狭持する支持ばね６１とを有する。ソケット本体６０は例えば合成樹脂のような絶縁材料からなり、ソケット本体６０内には、端子ピン１１ａに一対一に対応しピン挿入穴から挿入された端子ピン１１ａに接触導通する導電ブロック（図示せず）が収納されている。
【０００５】
支持ばね６１は、固定のための取付金具６２とともにねじＳ３によりソケット本体６０にねじ止め固定される本体部６１ａと、本体部６１ａの前後両端からそれぞれ下方へ突設されて下端部を前後に変位させるように弾性変形可能なばね部６１ｂとを有する。
【０００６】
各ばね部６１ｂの下端部には、それぞれ、ばね部６１ｂの他の部位よりも他方のばね部６１ｂに近づく方向に突出した係止凸部６１ｃが曲げ加工により形成されている。ランプ１の各口金１１の前後両面にはそれぞれ被係止凸部１１ｄが突設されており、端子ピン１１ａがピン挿入穴に完全に挿入された状態では各被係止凸部１１ｄがそれぞれ係止凸部６１ｃに係止される（つまり係止凸部６１ｃよりも上側に位置する）ことにより、ランプ１の下方への脱落が防止される。また、各被係止凸部１１ｄはそれぞれ上下方向の中央部へ向かって突出寸法を大きくするように傾斜しており、傾斜面に沿って被係止凸部１１ｄが変位することにより各ばね部６１ｂがそれぞれ容易に弾性変形するから、図８に矢印Ａ１で示すような上下方向の力のみによってランプ１の口金１１を容易にソケット６に着脱することができる。
【０００７】
また、各ばね部６１ｂには、それぞれ上下に長く下方に開放された３本のスリット６１ｅが左右に並べて設けられており、各ばね部６１ｂはそれぞれ下端部がスリット６１ｅにより４又に分かれていて、これによってばね力が抑えられている。
上記ソケット６、ランプ１を使用した照明器具として図９のような形態が一般的に知られている。照明器具Ｃの両端付近にはソケット本体６０が、ピン挿入穴を下側に向けソケット台６２によって器具本体２に固定されている。
ソケット本体６０にはそれぞれ、例えば金属材料のような導電材料からなりピン挿入穴から挿入された端子ピン１１ａに一対一に接触導通する２個の導電ブロック（図示せず）が収納されており、導電ブロック（図示せず）は配線５を介して、器具本体２内に収納された点灯装置４に電気的に接続される。ランプ１はバルブ１０の管軸方向に直交した向きに突設した口金部１１を、ソケット本体６０に垂直に挿入することで、支持ばね６１によって管軸方向に直交する前後方向から狭持され、バルブ１０が器具本体２の長手方向と平行に装着される。
【特許文献１】特開２００４−３６３０２９号公報
【発明の開示】
【発明が解決しようとする課題】
【０００８】
上記従来例では、ランプ１の着脱時、支持ばね６１の係止凸部６１ｃにより係止されるランプ口金１１の被係止凸部１１ｄに対して、ランプ１の管軸方向に垂直な力を加える必要があるため、ガラス管で出来たバルブ１０がその垂直応力Ａ２に耐えきれずに破損してしまうことがあった（図１０）。
【０００９】
またバルブ１０にかかる垂直応力緩和のために、支持ばね６１の弾性力を弱めた場合にはランプ１に対する保持力不足となり、ランプ１が落下するといった課題がある。
【００１０】
本発明は、上記事由に鑑みてなされたものであり、その目的は、ランプ装着時には支持ばねが安定してランプを狭持し、ランプ着脱時にはバルブにかかる応力を緩和してランプの破損を防止した照明器具を提供することにある。
【課題を解決するための手段】
【００１１】
請求項１の発明は、直管型のバルブの管軸方向両端にそれぞれ口金が設けられて、各口金にはそれぞれバルブの管軸方向に直交する方向であって、互いに共通する方向に端子ピンが突設されたランプが接続される照明器具Ｂであって、ランプの一方ずつの口金が電気的且つ機械的に接続される２個のソケットと、各ソケットにそれぞれ電気的に接続されてランプを点灯させる点灯装置と、点灯装置を収納するとともに各ソケットをそれぞれ保持する器具本体とを備え、各ソケットは、それぞれ、絶縁材料からなり端子ピンが挿入されるピン挿入穴が設けられたソケット本体と、点灯装置に電気的に接続されソケット本体に収納されてピン挿入穴から挿入された端子ピンに接触導通する導電ブロックと、ランプの口金を管軸方向に直交する方向の両側から弾性的に挟持する一対のばね部を有する支持ばねと、当該支持ばねの一対のばね部の両方を、ランプを狭持する位置とランプの狭持を解除する位置との間で変位させる変位手段とを有することを特徴とする。
【００１２】
この発明によれば、ランプ装着時には支持ばねが安定してランプを狭持でき、ランプ着脱時には支持ばねをランプの狭持を解除する位置に変位させることでランプの狭持を解除でき、支持ばねがランプを狭持した状態でランプを着脱する場合に比べて、バルブにかかる垂直応力が緩和されランプの破損を防止できる。
【００１３】
請求項２の発明は、請求項１の発明において、前記変位手段は、支持ばねを、ランプを狭持する位置とランプの狭持を解除する位置との間でバルブの管軸方向と平行にスライドさせるスライド手段を有することを特徴とする。
この発明によれば、ランプ装着時には支持ばねが安定してランプを狭持でき、ランプ着脱時には支持ばねをバルブの管軸方向と平行な向きへスライドさせることでランプの狭持を解除でき、支持ばねがランプを狭持した状態でランプを着脱する場合に比べて、バルブにかかる垂直応力が緩和されランプの破損を防止できる。
【００１４】
請求項３の発明は、請求項１の発明において、前記変位手段は、支持ばねを、ランプを狭持する位置とランプの狭持を解除する位置との間でバルブの管軸方向と垂直に変位させる変位手段を有することを特徴とする。
この発明によれば、ランプ装着時には支持ばねが安定してランプを狭持でき、ランプ着脱時には支持ばねをバルブの管軸方向と垂直な向きに変位させることでランプの狭持を解除でき、支持ばねがランプを狭持した状態でランプを着脱する場合に比べて、バルブにかかる垂直応力が緩和されランプの破損を防止できる。
【発明の効果】
【００１５】
以上説明したように、本発明ではランプ装着時には支持ばねが安定してランプを狭持し、ランプ着脱時にはバルブにかかる応力を緩和してランプの破損を防止できるという効果がある。
【発明を実施するための最良の形態】
【００１６】
以下、本発明の実施の形態を図面に基づいて説明する。
【００１７】
（実施形態１）
本発明の照明器具は図１、図２に示すように、従来例で説明したランプ１が取り付けられる照明器具であって、取り付けられるランプ１の管軸方向に長い形状の器具本体２と、器具本体２の長手方向の両端部にそれぞれ保持されたソケット３とを備える。器具本体２には、ランプ２を点灯させるための例えば電子安定器のような点灯装置４が収納されている。以下、上下方向は図１を基準とし、器具本体２の長手方向（ランプ１の管軸方向）を左右方向と呼び、上記の上下方向と左右方向とに直交する方向を前後方向と呼ぶ。つまり、ランプ１のバルブ１０に対して各口金１１及び端子ピン１１ａが突出する方向を上方向と呼ぶ。
【００１８】
ランプ１の各口金１１の上面には、それぞれ２本ずつの端子ピン１１ａが前後に並べて上方へ突設されており、各ソケット３は、それぞれ、１本ずつの端子ピン１１ａが挿入される２個のピン挿入穴３０ａが下面に開口した、例えば合成樹脂のような絶縁材料からなる中空の直方体形状のソケット本体３０を有する。ソケット本体３０は器具本体２の内面左右両端に固定されたソケット台３２により固定され、ソケット本体３０にはそれぞれ例えば金属のような導電材料からなりピン挿入穴３０ａから挿入された端子ピン１１ａに一対一に接触導通する２個の導電ブロック３０ｂが収納されており、導電ブロック３０ｂは配線５を介して、器具本体２内に収納された点灯装置４に電気的に接続される。また、端子ピン１１ａがそれぞれ円柱形状であるのに対して各ピン挿入穴３０ａはそれぞれ左右に長い長方形状となっており、各端子ピン１１ａがそれぞれピン挿入穴３０ａに挿入された状態でもランプ１はソケット３に対して左右に僅かに変位可能となっている。
また、各口金１１は前後両面の左右方向中央付近から外側方向端部（右側の口金１１において右端、左側の口金１１において左端を示す）にかけて被係止凸部１１ｂを突設している（図３（ｃ））。
【００１９】
さらに、各ソケット３は、例えば金属製の板ばねからなりランプ１の口金１１を管軸方向に直交する方向である前後方向から弾性的に狭持する支持ばね３１を有する。詳しく説明すると、図３（ａ）〜（ｃ）、図４（ａ）、（ｂ）に示すように、支持ばね３１のばね本体部３１ａはソケット台３２の内部に収納され、ばね本体部３１ａの前後両端より下方に突設した一対のばね部３１ｂは、ソケット台３２の下面において左右方向中央付近から内側方向端部（本実施形態では、図４（ａ）に示す右側のソケット台３２において左端、図４（ｂ）に示す左側のソケット台３２において右端）へ長尺状に設けられた一対の矩形状の挿通穴３２ａを各々挿通している。また、一対のばね部３１ｂはソケット台３２の前後両端からそれぞれ下方に突出して互いに前後に対向している。さらに、一対のばね部３１ｂはそれぞれの下端部を前後に変位させるように弾性変形可能であって各下端部間にランプ１の口金１１を狭持する。ばね部３１ｂの下端部には、それぞれ、ばね部３１ｂの他の部位よりも他方のばね部３１ｂに近づく方向に突設した係止凸部３１ｃが曲げ加工により形成されている。
また、支持ばね３１のばね本体部３１ａの左右方向の幅寸法はソケット台３２の挿通穴３２ａの左右方向の寸法よりも小さく、支持ばね３１は、この挿通穴３２ａに沿って左右にスライド可能となっている。そして、ソケット３がランプ１の口金１１を係持している状態では、支持ばね３１が挿通穴３２ａの外側端（右側のソケット台３２の挿通穴３２ａの右端（右側の支持ばね３１のスライド可能域の右端）、左側のソケット台３２の挿通穴３２ａの左端（左側の支持ばね３１のスライド可能域の左端）を示す）に位置し、支持ばね３１の係止凸部３１ｃが口金１１の被係止凸部１１ｂの下方に位置することで、被係止凸部１１ｂが係止凸部３１ｃによって係止されている。
そして、支持ばね３１を挿通穴３２ａの内側端（右側のソケット台３２の挿通穴３２ａの左端（右側の支持ばね３１のスライド可能域の左端）、左側のソケット台３２の挿通穴３２ａの右端（左側の支持ばね３１のスライド可能域の右端）を示す）へスライドさせると、支持ばね３１の係止凸部３１ｃは口金１１の被係止凸部１１ｂの下方を摺動した後、被係止凸部１１ｂと係止凸部３１ｃは上下方向（ランプ１の着脱方向）で重ならなくなり、被係止凸部１１ｂと係止凸部３１ｃとの係止状態が解除されて、ランプ１は口金１１の端子ピン１１ａとソケット本体３０のピン挿入穴３０ａとの保持力のみによって器具本体２に保持される。
次に、この状態から支持ばね３１を挿通穴３２ａの外側端へスライドさせると支持ばね３１の係止凸部３１ｃが口金１１の被係止凸部１１ｂの下方を摺動し、被係止凸部１１ｂの下に係止凸部３１ｃが位置することで被係止凸部１１ｂが係止凸部３１ｃにより係止され、ソケット３がランプ１の口金１１を係持する。
【００２０】
続いてソケット３からランプ１を着脱する方法について説明する。ランプ１の装着を行う際には、まず各ソケット３の支持ばね３１を各々、挿通穴３２ａの外側端から内側端にスライドさせることで、係止凸部３１ｃが、下方より挿入されるランプ１の口金１１に設けた被係止凸部１１ｂと上下方向（ランプ１の着脱方向）で重ならないようにしておく（図３（ｃ））。そして、ランプ１を下方から器具本体２の下面に近づけ、端子ピン１１ａをピン挿入穴３０ａに挿入し（図３（ｂ））、その後、支持ばね３１を挿通穴３２ａの内側端から外側端へスライドさせる（図３（ａ））ことで被係止凸部１１ｂは係止凸部３１ｃに係止され（係止凸部３１ｃが被係止凸部１１ｂの下に位置する）ランプ１の装着が行われる。
また、この状態（図３（ａ））からランプ１を取り外す際には、まずランプ１の装着を行う際とは逆に支持ばね３１を各々、挿通穴３２ａの外側端から内側端へスライドさせることで、上下方向（ランプ１の着脱方向）で係止凸部３１ｃと被係止凸部１１ｂが重ならなくなり、被係止凸部１１ｂと係止凸部３１ｃとの係止が解除され（図３（ｂ））、ランプ１を下方向へ引き抜くことでソケット３からランプ１の取り外しが行われる（図３（ｃ））。
このように本実施形態では、ソケット３からのランプ１の着脱時に、口金１１の被係止凸部１１ｂと支持ばね３１の係止凸部３１ｃとが干渉することなく容易にランプ１の着脱が行える為、バルブ１０にかかる応力が緩和されランプ１の破損が防止される。
【００２１】
（実施形態２）
本実施形態は実施形態１におけるソケット３からのランプ１の着脱時に支持ばね３１のスライド方向を逆にしたものであり、図５（ａ）〜（ｃ）に示すように口金１１の被係止凸部１１ｃは口金１１の前後両面の左右方向中央付近から内側方向端部（右側の口金１１において左端、左側の口金１１において右端を示す）にかけて突設されている（図５（ｃ））。さらに、本実施形態において各ソケット台３２の下面に設けられた挿通穴３２ａは、左右方向中央付近から外側方向端部（本実施形態では、図４（ｂ）に示す右側のソケット台３２において右端、図４（ａ）に示す左側のソケット台３２において左端）つまり、本実施形態では被係止凸部１１ｃ及び挿通穴３２ａは実施形態１とは、左右方向中央付近からの延設方向が異なる。
そして、ソケット３に対してランプ１の装着を行う際には、まず各ソケット３の支持ばね３１を各々、挿通穴３２ａの内側端から外側端へスライドさせることで、係止凸部３１ｃが、下方より挿入されるランプ１の口金１１に設けた被係止凸部１１ｃと上下方向（ランプ１の着脱方向）で重ならないようにしておく（図５（ｃ））。そして、ランプ１を下方から器具本体２の下面に近づけ、端子ピン１１ａをピン挿入穴３０ａに挿入し（図５（ｂ））、その後、支持ばね３１を挿通穴３２ａの外側端から内側端へスライドさせる（図５（ａ））ことで被係止凸部１１ｃは係止凸部３１ｃに係止され（係止凸部３１ｃが被係止凸部１１ｃの下に位置する）ランプ１の装着が行われる。
また、この状態（図５（ａ））からランプ１を取り外す際には、まずランプ１の装着を行う際とは逆に支持ばね３１を各々、挿通穴３２ａの内側端から外側端へスライドさせることで、上下方向（ランプ１の着脱方向）で係止凸部３１ｃと被係止凸部１１ｃが重ならなくなり被係止凸部１１ｃと係止凸部３１ｃとの係止が解除され（図５（ｂ））、ランプ１を下方向へ引き抜くことでソケット３からランプ１の取り外しが行われる（図５（ｃ））。
このように本実施形態では、ソケット３からのランプ１の着脱時に、口金１１の被係止凸部１１ｃと支持ばね３１の係止凸部３１ｃとが干渉することなく容易にランプ１の着脱が行える為、バルブ１０にかかる応力が緩和されランプ１の破損が防止される。
また、本実施形態におけるランプ１の着脱時において、支持ばね３１が挿通穴３２ａの内側端に位置する時には支持ばね３１と端子ピン１１ａは左右方向で重ならず（端子ピン１１ａは支持ばね３１よりもランプ１の中央寄りに位置する）（図５（ａ））、さらに、支持ばね３１が挿通穴３２ａの内側端から外側端へスライドする時には、支持ばね３１は端子ピン１１ａから左右方向で端子ピン１１ａよりも遠ざかる方向へスライドすることから、支持ばね３１と端子ピン１１ａは常に左右方向で重なる事がない。その為、ランプ１の着脱時に、端子ピン１１ａが支持ばね３１に接触し地絡電流が流れるといった危険も回避できる構造となっている。なお、他の構成は実施形態１と同様であり説明は省略する。
さらに、本発明における支持ばね３１をスライドさせる構造は実施形態１、２に記載の方法に限定せず、他の周知の方法を用いて支持ばね３１をスライドさせる構造についても含むものとする。
【００２２】
（実施形態３）
図６（ａ）〜（ｃ）に示す本実施形態は、支持ばね３１を固定するソケット台３４の側面に、支持ばね３１に機械的に連結して、支持ばね３１を前後に変位させるつまみ３３を有する。ソケット３がランプ１の口金１１を係持している状態では、つまみ３３はソケット台３４に押し込まれており、支持ばね３１の係止凸部３１ｃは口金１１の被係止凸部１１ｄの下方に位置することで被係止凸部１１ｄは係止凸部３１ｃに係止されている（図６（ｂ））。
そして、つまみ３３をソケット台３４より突出する方向（手前方向）へ引っ張ることで口金１１を前後方向に狭持する一対のばね部３１ｂの前後方向の間隔を広げることが出来る（図６（ｃ））。これにより支持ばね３１の係止凸部３１ｃと口金１１の被係止凸部１１ｄの係止が解除され、ランプ１は口金１１の端子ピン１１ａとソケット本体３０のピン挿入穴３０ａとの保持力のみによって器具本体２に保持される。
【００２３】
次にこの状態から、つまみ３３をソケット台３４内へ押し込むと支持ばね３１のばね部３１ｂの前後方向の間隔が狭められ、支持ばね３１の係止凸部３１ｃが口金１１の被係止凸部１１ｄの下方に位置することで被係止凸部１１ｄは係止凸部３１ｃにより係止され、ソケット３が口金１１を係止する（図６（ｂ））。
【００２４】
続いてソケット３からランプ１を着脱する方法について説明する。ランプ１の装着を行う際には、つまみ３３を手前方向へ引っ張り口金１１を狭持する一対のばね部３１ｂの前後方向の間隔を広げ、口金１１の被係止凸部１１ｄと支持ばね３１の係止凸部３１ｃとが上下方向（ランプ１の着脱方向）で重ならないようにしておく（図６（ｃ））。そして、ランプ１を下方から器具本体２の下面に近づけ、端子ピン１１ａをピン挿入穴３０ａに挿入し、その後、つまみ３３を押し込むことで口金１１を狭持する一対のばね部３１ｂの前後方向の間隔が狭まり、被係止凸部１１ｄが係止凸部３１ｃに係止されランプ１の装着が行われる（図６（ｂ））。
また、この状態（図６（ｂ））からランプ１を取り外す際には、まずランプ１の装着を行う際とは逆につまみ３３を手前に引っ張ることで口金１１を狭持している一対のばね部３１ｂの前後方向の間隔が広がり、係止凸部３１ｃと被係止凸部１１ｄとが上下方向（ランプ１の着脱方向）で重ならず、係止凸部３１ｃと被係止凸部１１ｄの係止が解除されランプ１を下方向へ引き抜くことでソケット３からランプ１の取り外しが行われる（図６（ｃ））。
このように本実施形態では、ソケット３からのランプ１の着脱時に口金１１の被係止凸部１１ｄと支持ばね３１の係止凸部３１ｃとが干渉することなく容易にランプ１の着脱が行える為、バルブ１０にかかる応力が緩和されランプ１の破損が防止される。なお、他の構成は実施形態１と同様であり説明は省略する。
【図面の簡単な説明】
【００２５】
【図１】本発明の実施形態の照明器具における一部破断した前面図である。
【図２】同上における一部破断した側面図である。
【図３】（ａ）（ｂ）（ｃ）はそれぞれ同上のランプ着脱時の遷移状態の要部を示し、（ａ）はランプ装着時の前面図、  （ｂ）は係止解除時の前面図、  （ｃ）はランプ取り外し時の前面図である。
【図４】同上のソケット台の底面図である。
【図５】（ａ）（ｂ）（ｃ）はそれぞれ実施形態２においてランプ着脱時の遷移状態の要部を示し、（ａ）はランプ装着時の前面図、  （ｂ）は係止解除時の前面図、  （ｃ）はランプ取り外し時の前面図である。
【図６】（ａ）（ｂ）はそれぞれ実施形態３においてランプが接続された状態の要部を      示し、（ｃ）は実施形態３においてランプが取り外された状態の要部を示し  （ａ）は前面図、  （ｂ）は一部破断した側面図、  （ｃ）は一部破断した側面図である。
【図７】（ａ）（ｂ）はそれぞれ従来例においてランプが接続された状態の要部を示し  、（ａ）は一部破断した側面図、（ｂ）は前面図である。
【図８】同上とランプとの要部を示す前面図である。
【図９】従来例の照明器具における一部破断した前面図である。
【図１０】同上においてランプが破損した状態を示す、一部破断した前面図である。
【符号の説明】
【００２６】
１  ランプ
３  ソケット
１１  口金
１１ｂ  被係止凸部
３０  ソケット本体
３１  支持ばね  
３１ｃ  係止凸部
【図１】
0005155679.tif 000002
【図２】
0005155679.tif 000003
【図３】
0005155679.tif 000004
【図４】
0005155679.tif 000005
【図５】
0005155679.tif 000006
【図６】
0005155679.tif 000007
【図７】
0005155679.tif 000008
【図８】
0005155679.tif 000009
【図９】
0005155679.tif 000010
【図１０】
0005155679.tif 000011